(57)【要約】この発明は、フィルム上の汚れ、傷、埃等の欠陥を、例えば、フィルムのデジタル処理の際に修正するために、これらの欠陥を検出する方法に関する。本発明に係る方法は、フィルム（１）の一端側に配され、フィルム上の狭い範囲を異なる波長で照明するための少なくとも２つの光源（３ａ、３ｂ）と、フィルムの他端側に配され、２つの光源からの光ビーム（４ａ、４ｂ）によって照明された範囲の２つの画像を、２つの光源の波長にそれぞれ対応する線形の感光性素子に投影するレンズとを備える光学装置にフィルムを通過させることによって行う。さらに、２つの検出素子から得られるデジタルデータを比較して、その結果から検出と修正とを行う。本発明は、フィルム上の汚れ、傷、埃等の欠陥の検出の使用に適する。
2005517194.tif 000002
【特許請求の範囲】
【請求項１】
フィルム（１）の一端側に配され、フィルム上の狭い範囲を異なる波長で照明するための少なくとも２つの光源（３ａ、３ｂ）と、
フィルムの他端側に配され、前記２つの光源からの光ビームビーム（４ａ、４ｂ）によって照明された範囲の２つの画像を、前記２つの光源の波長にそれぞれ対応する線形の感光性素子に投影するレンズと、
を備えてなる光学装置にフィルム（１）を通過させ、
２つの検出素子から得られるデジタルデータを比較して、その結果から検出と修正とを行うことを特徴とする表面欠陥の検出及び修正方法。
【請求項２】
請求項１に記載の方法であって、
一方の光源（３ａ）が、白色光の光ビーム（４ａ）を出射するものとされているのに対し、
他方の光源（３ｂ）が、赤外光の光ビーム（４ｂ）を出射するものとされていることを特徴とする方法。
【請求項３】
請求項１に記載の方法であって、
前記検出素子が、個々にＣＣＤストリップ（６〜９）を備えていることを特徴とする方法。
【請求項４】
請求項１に記載の方法であって、
白色光ビーム（４ａ）が、３原色である赤、緑、青のそれぞれを検知する３つのＣＣＤストリップ（７〜９）に照射されるのに対し、
赤外光ビーム（４ｂ）が、赤外線を検知するＣＣＤストリップ（６）に照射されることを特徴とする方法。
【請求項５】
請求項１に記載の方法であって、
両方の光源に共通するレンズ（１０）を用いて集束させることによって、フィルムの前記照明された範囲の投影が行われることを特徴とする方法。
【請求項６】
請求項１に記載の方法であって、
前記光ビームの伝播方向に対する横断面が矩形状とされていることを特徴とする方法。
【請求項７】
請求項１に記載の方法であって、
前記光ビームの断面の幅が、フィルム走査の分解能によって決定されることを特徴とする方法。
【請求項８】
請求項１に記載の方法であって、
前記装置が、フィルムに配されたバーコードを読み取る光源（２７）／検出器（２８）アッセンブリを備えていることを特徴とする方法。
【請求項９】
請求項８に記載の方法であって、
前記アッセンブリが、フィルムの挿入部分に配されていることを特徴とする方法。
【発明の詳細な説明】
【技術分野】
【０００１】
本発明は、フィルムの欠陥検出方法に関する。とりわけ、といってもこれに限定されるわけではないが、フィルムのデジタル化の際に汚れ、傷、埃等の欠陥を修正する際の方法に関する。
【背景技術】
【０００２】
一般に、フィルムを走査してデジタル処理するために、以下の構成からなる光学アッセンブリすなわち、
−狭い矩形範囲でフィルムを照明する光源が一方に配され、
−照明範囲の画像を、原則的には電荷結合素子（以下、ＣＣＤと称する。）検出器とされる検出装置に投影するレンズが他方に配されてなる光学アッセンブリにフィルムを通して行うことが知られている。
【０００３】
実際、カラーフィルムをデジタル処理する場合、各々が一連のＣＣＤセルからなり、赤、緑、青の３原色をそれぞれ検知する３本の平行な検出線を備えたセンサが用いられる。
【０００４】
本発明は、フィルム表面の欠陥によって生じた回折点の存在する位置から離れたところでは赤外画像が透過するとの観察に基づいている。これらの欠陥はまた、上述の対応する３つのストリップのＲＧＢ画像にも回折点を生じさせる。赤外画像及びＲＧＢ画像の４つの画像における画素毎の明度を比較することによって、欠陥のないＲＧＢ画像を再構成することができる。これは、欠陥のない近傍の複数画素の明度を考慮して、明度関連係数（luminosity connection factor）をフィルム上で欠陥を生じている各画素に関連付けることによってなされる。
【０００５】
このような修正のために、ＣＣＤセンサの１つのラインに可視光（非赤外光）が到達するのを規制するとともに、ＣＣＤの２本目のラインに赤外光が到達するのを規制するために光ビームをフィルタリングする手段を用いることが提案されている（例えば、特許文献１参照。）。
【特許文献１】国際公開ＷＯ  ９９／１４０７２９号パンフレット
【発明の開示】
【発明が解決しようとする課題】
【０００６】
しかしながら、上記従来の技術には多くの問題がある。すなわち、フィルタがあるために、照明光が減衰若しくは分散してしまうことから、光源の出力が過剰なものとなってしまう（欠陥サイズが小さい場合、欠陥検出の際に高輝度を要することによる。）。
【０００７】
さらに、使用する可視光（ＲＧＢ）と赤外光との波長の違いや、放射光が横切る物質の異なる屈折率の違いのため、ＲＧＢのＣＣＤストリップ上に好適に集光するように光学系を調整しても、赤外線用に用いられるＣＣＤストリップに適用された赤外画像は、焦点がぼやけて使用できない。
本発明は上記事情に鑑みてこれらの問題や不利益を削減することを目的とする。
【課題を解決するための手段】
【０００８】
本発明は、上記目的のため、フィルム上の汚れ、傷、埃等の欠陥を、ネガフィルムのデジタル処理の際に修正するために、これらの欠陥を検出する方法を提案する。この発明によれば、この方法は、フィルムの一端側に配され、フィルム上の狭い範囲を異なる波長で照明するための少なくとも２つの光源と、フィルムの他端側に配され２つの光源からの光ビームによって照明された範囲の２つの画像を、２つの光源の波長にそれぞれ適合された２つの線形の感光性素子に投影するレンズとを備える光学装置内にフィルムを通過させ、かつ２つの検出素子から得られるデジタルデータを比較して、その結果、上述した検出と修正とを行うことができる。    
【０００９】
このような配置によって、検出器を移動させることなく、ＲＧＢ画像をＲＧＢ検出器上に集束させ、同時に、赤外画像を赤外線検出器上に集束させることができる。
【００１０】
また、光源やその付属品のすべて（冷却装置や電源装置等）を小さくすることができ、光の分散や減衰の問題をかなり低減させることができる。
【００１１】
さらに、得られた結果は、とりわけフィルムとＣＣＤストリップとの間に使用されるレンズの光学特性から独立したものとされている。特に、レンズの縦軸方向の光学収差の問題をこの方法によって克服することができる。
【００１２】
また、他の光源とは別に、フィルムに配されたバーコードを読み取るためのＲＧＢ用ＣＣＤストリップのための第３の光源を使用することもできる。
【００１３】
以下、これに限定されるわけではないが、本発明に係る実施例を添付図を参照しながら説明する。
【発明を実施するための最良の形態】
【００１４】
本発明に係る一実施形態では、フィルム１は２つのローラ２ａ、２ｂ間をガイドされる。これらローラ２ａ、２ｂは、フィルム１がその両側縁のレベルでガイドされるように、かつ、これら両ローラ２ａ、２ｂ間の間隙がフィルム１の有効範囲以上となるように配置されている。  
【００１５】
フィルム１は、ローラ２ａ、２ｂの位置で、ローラ２ａ、２ｂの軸Ｏと平行とされる母線を有する円形路を移動する。
【００１６】
フィルム１は、２つの光源３ａ、３ｂによって照明される。
−光源３ａは、白色光４ａの光ビームを出射する。
−光源３ｂは、赤外光４ｂの光ビームを出射する。
【００１７】
入射光ビーム４ａ、４ｂは、伝播方向と交差する面が矩形状とされていることに特徴がある。この矩形断面の長さはローラ２ａ、２ｂの位置においてフィルム１の円形路の母線と平行とされており、かつ、フィルム１の有効範囲と少なくとも等しい長さとされている。２つの光ビーム４ａ、４ｂの矩形断面の幅は、フィルム１の走査の際における分解能によって決められる。
【００１８】
２つの入射光ビーム４ａ、４ｂは、フィルム１を通過した後、ＲＧＢと称する白色光と、ＩＦと称する赤外光とによる走査の際に有用とされる情報をそれぞれ含む２つの透過光ビーム５ａ、５ｂとなる。
【００１９】
次いで、透過光ビーム５ａ、５ｂは、ＣＣＤストリップ６、７〜９上にそれぞれレンズ１０によって集束される。
【００２０】
図２は、以下に記載する、装置の様々な構成要素を示している。すなわち、
―互いに離間して立設された光源３ａ，３ｂを支持するサポート、
―各光源の前方にそれぞれ配された２つの光ガイド１１ａ、１１ｂのサポート、
―フィルムを案内する装置、
―光源３ａ、３ｂからそれぞれ照射される光ビーム４ａ、４ｂ用のレンズ１０、
―赤外光用ＣＣＤストリップ６とＲＧＢ用ＣＣＤストリップ７〜９とを備えるサポート。
【００２１】
上記の光源のサポート、ガイド、ＣＣＤストリップ、レンズはすべて、共通の軸線に沿って配設されている。
【００２２】
フィルムを案内する装置は、ガイドとレンズとの間に配される。
【００２３】
フィルムを案内する装置は、２枚の金属板を備えた構造とされている。これらの金属板は、図２には１３ａとして一方のみ示しているが、これら金属板の上側に沿って立設された３つのクロスピース１４ａ、１４ｂ、１４ｃによって互いに平行に離間して配されている。これらの異なる要素が、フィルム１を案内するアッセンブリを強固に構成している。金属板１３ａと１３ｂとの間隔は、分析されるフィルム１の幅よりも僅かに大きいものとされている。
【００２４】
フィルム１を案内する装置は、同軸的かつ平行に設けられた２つのローラを集束エリア内に備えている。これらのローラは、図２には一方のローラ２ａのみ示しているが、ボールベアリングによって回転可能とされ、かつ、図２において１５ａ、１６ａで一対のみ示されるバッキングプレートによって支持されている。フィルム１の両側縁は、それぞれローラ２ａ、２ｂ上を、円弧状の軌跡に沿って移動する。この円弧状の軌跡に沿うことにより、直線母線を有する円柱状となる。この位置によって、板１７に形成された溝孔に直交する直線状の横断部分を集束位置とすることができる。ここで、板１７は、２つの金属板１３ａ、１３ｂと一体とされたもので、これら金属板１３ａ、１３ｂは、板１７の外側に面して配された光源３ａ、３ｂ／光ガイド１１ａ、１１ｂアッセンブリから出射される光ビーム４ａ、４ｂを伝達する矩形状のスペースを形成している。
【００２５】
フィルム１を駆動する装置は、図には１８ａのみ示しているが、フィルム１の横方向の端部の移動に同期し、ローラ２ａ、２ｂを超えて円弧状の軌跡に沿って移動する２つの平行なベルトを備えている。こうして、フィルム１の両側縁を移動させる摩擦駆動力が得られ、これによって、両側縁間で異なる速さとなるのを好適に抑える。２つのベルト１８ａ、１８ｂは、フィルム１から離間する側に切欠が設けられており、電気モータ２１によって回転駆動される共通の軸上に配された２つのプーリー１９ａ、１９ｂと、図には２２ａのみ示しているが、２つの切欠のないプーリーとによって回転駆動される。２つのベルト１８ａ、１８ｂの張力と位置決めは、２３ａ、２３ｂ、２３ｃの１セットのみ示されるローラによって決められる。
【００２６】
フィルム１の巻き上げ装置は、ローラの軸と平行とされた軸２５回りに回転可能に配され、バネ付勢された鼓状のローラ２４を備えてなる。この軸２５は、ローラ２４に巻回されたフィルム１を厚さ方向に楕円状に展開させることができるように誘導される。楕円の長軸は、フィルム端部上のベルトの接線方向とされる平面に直交する方向とされている（ここで、楕円状の孔の長軸上に力が負荷される。）。図には腕２５ａ、２６ａの１つのペアのみ示しているが、腕２５ａ、２６ａは、鼓状のローラ２４に巻回又は送り出す際にフィルムを案内するものとされている。腕２５ａと２５ｂとは連接されている。ローラ２４は独自の駆動手段を有していないので、その角速度はフィルム１の巻回量に依存している。
【００２７】
フィルム１の導入ゾーンには、フィルムの側面にそれぞれ対向して光源２７／検出器２８アッセンブリが配されている。このアッセンブリは、フィルムの識別や所定の場所に挿入されていることを確認するためにフィルムの境界部に配されたバーコードを読み取り可能とされている。
【００２８】
赤外光と白色光とは同時にフィルムの同じ場所を照明しないことに留意すべきである。従って、２つの照明領域間の距離に注意してデータを保存することが必要である。
【図面の簡単な説明】
【００２９】
【図１】ＲＧＢ光源と赤外光源とによる装置の代表例を示す図である。
【図２】本発明の一実施形態に係る装置の要部を示す斜視図である。
【図３】本発明の一実施形態に係る装置を示す正面図である。
【図４】図３のＡ−Ａ断面図である。
【符号の説明】
【００３０】
１  フィルム
３ａ、３ｂ  光源
４ａ  白色光ビーム
４ｂ  赤外光ビーム
６、７、８、９  ＣＣＤストリップ
１０  レンズ
【図１】
2005517194.tif 000003
【図２】
2005517194.tif 000004
【図３】
2005517194.tif 000005
【図４】
2005517194.tif 000006
【国際調査報告】
2005517194.tif 000007
2005517194.tif 000008
2005517194.tif 000009
2005517194.tif 000010
2005517194.tif 000011
2005517194.tif 000012